(57)【特許請求の範囲】
【請求項１】
車体後部のラゲッジルームのフロアパネルに形成された上方開口の収納凹部に配置される上方開口のカーゴフロアボックス構造であって、
当該カーゴフロアボックス構造の上方開口及び収納凹部の開口を開閉自在に覆い、フラットなラゲッジルームの床面を構成する板状のフロアリッドを有し、
当該カーゴフロアボックス構造は、底部と、前記底部の周縁より上方へと起立した側壁とを有して前記収納凹部の底面に当接するように形成され、内部にボールを収納可能であり、
当該カーゴフロアボックス構造の前記底部の上面には前記ボールを載置され、当該ボールを着座状態で保持する凹状の座部が設けられ、
前記側壁の上端は、当該カーゴフロアボックス構造の外方に厚みを増してフランジを形成していることを特徴とするカーゴフロアボックス構造。
【請求項２】
前記底部の上面は、その一部に前記座部が凹設され、他の部分に上方を向く面を有することを特徴とする請求項１に記載のカーゴフロアボックス構造。
【請求項３】
前記座部は、当該座部に着座する前記ボールが前記側壁との間に隙間を形成するように、前記底部の上面に対して配置されていることを特徴とする請求項２に記載のカーゴフロアボックス構造。
【請求項４】
前記ボールは、サッカーボールであることを特徴とする請求項１〜請求項３のいずれか１つの項に記載のカーゴフロアボックス構造。
【請求項５】
前記サッカーボールは、５号球であることを特徴とする請求項４に記載のカーゴフロアボックス構造。
【発明の詳細な説明】
【技術分野】
【０００１】
本発明は、車両後部のラゲッジルームに設けられたカーゴフロアボックス構造に関し、球体を安定的に保持することができるカーゴフロアボックス構造に関するものである。
【背景技術】
【０００２】
従来、車両後部のラゲッジルームの床面には、スペアタイヤや工具を収納するための収納凹部（タイヤ収納スペース）が設けられている。そして、収納凹部を覆い、ラゲッジルームの床面をフラットな状態にするべく、フロアリッド（ラゲッジフロアボードまたはカーゴリッド）が設けられている。近年では、この収納凹部の用途の拡大を図り、スペアタイヤ等以外の他の荷物も収納できるようにしたものがある（例えば、特許文献１）。
【先行技術文献】
【特許文献】
【０００３】
【特許文献１】実公平６−３０５６６号公報
【発明の概要】
【発明が解決しようとする課題】
【０００４】
このような収納凹部に、サッカーボールやバレーボールなどの球体を収容して搬送したいという要求がある。しかし、これらの球体は、収容時の安定性が悪いため、車両走行による慣性力を受けて収容凹部内を転がり移動する。そのため、球体が他の収容されている荷物と衝突したり、収容凹部の壁面と衝突して騒音を発生したりするという問題がある。
【０００５】
本発明は、このような問題を鑑みてなされたものであって、球体の転がりを防止し、球体を安定して収納することができるカーゴフロアボックス構造を提供することを目的とする。
【課題を解決するための手段】
【０００６】
上記課題を解決するために、本発明は、車体後部のラゲッジルーム（２）のフロアパネルに形成された上方開口の収納凹部（４１）に配置してなる上方開口のカーゴフロアボックス構造（７）であって、当該カーゴフロアボックスの上方開口及び収納凹部の開口を開閉自在に覆い、フラットなラゲッジルームの床面を構成する板状のフロアリッド（８）を有し、当該カーゴフロアボックス構造の底部（７１）の上面（７１ａ）には、ボール（９）を載置され、当該ボールを着座状態で保持する凹状の座部（７５）が設けられていることを特徴とする。
【０００７】
また、前記ボールは、サッカーボールであってよく、特に５号球であってよい。
【発明の効果】
【００１１】
本発明によれば、球体はカーゴフロアボックス内の底面に設けられた座部に保持されるようになり、カーゴフロアボックス内に静止して収容されるようになる。また、フロアリッドにより球体の上方への移動が制限されるため、球体は座部より離脱しにくくなり、より安定的に保持されるようになる。
【図面の簡単な説明】
【００１２】
【図１】実施形態に係るカーゴフロアボックス構造が適用された自動車のラゲッジルームを示す斜視図である。
【図２】実施形態に係るカーゴフロアボックス上部を示す斜視図である。
【図３】実施形態に係るカーゴフロアボックス底部を示す斜視図である。
【図４】図２の矢印ＩＶ−ＩＶ線に沿って見た断面図である。
【図５】実施形態に係るカーゴフロアボックス構造を示す断面図である。
【図６】一部変形実施した実施形態に係るカーゴフロアボックス構造を示す断面図である。
【発明を実施するための形態】
【００１３】
以下、本発明の実施の形態を、図面を参照しながら説明する。
図１は、実施形態に係るカーゴフロアボックスが適用された自動車のラゲッジルームを示す斜視図であり、フロアリッド８を開状態としてカーゴフロアボックス７が露出した状態を示している。図２〜図４は、実施形態に係るカーゴフロアボックスを示している。図２はカーゴフロアボックス７を上方より見た斜視図であり、図３はカーゴフロアボックス７を下方より見た斜視図であり、図４は図２中の矢印ＩＶ−ＩＶ線に沿って見た斜視図である。図５は、カーゴフロアボックス構造に球体を収納した状態を表している。以下のカーゴフロアボックス７についての説明では、カーゴフロアボックス７がラゲッジルームに取り付けられた状態を基準とし、その際の鉛直上方をカーゴフロアボックス７の上方として説明する。
【００１４】
図１に示すように、車体１の後方に、ラゲッジルーム２は形成されている。ラゲッジルーム２の床部は、車体１の後方側部を車両前後方向に延設された２つのリアフレーム３と、両リアフレーム３に支持されたリアフロアパネル４とを主要構成要素として構成されている。また、ラゲッジルーム２は、リアシート５と、リアインナパネル６と、テールゲート（図示せず）とによって囲まれている。
【００１５】
ラゲッジルーム２の床面を形成するリアフロアパネル４には、車幅方向の中央部に上方に開放した収納凹部４１が形成されている。収納凹部４１には、収納凹部４１の形状と一致するように形成されたカーゴフロアボックス７が設けられている。収納凹部４１およびカーゴフロアボックス７の上方には、フロアリッド８が設けられている。フロアリッド８は、リアフロアパネル４の収納凹部４１の車幅方向における両側方に形成された段部４２と当接して位置固定されている。フロアリッド８は、折り畳み可能な板状部材であり、展開状態において収納凹部４１およびカーゴフロアボックス７を覆って閉状態とし、折り畳み状態において収納凹部４１およびカーゴフロアボックス７を露出させて開状態とする。
【００１６】
図２に示すように、カーゴフロアボックス７は、底部７１と、底部の周縁より上方へと起立した側壁７２とを有する上方に開放した箱体である。図３に示すように、底部７１の下方側の面には、カーゴフロアボックス７とリアフロアパネル４との間隙を充塞して、カーゴフロアボックス７の設置安定性を高めるスペーサ７３が格子状に設けられている。カーゴフロアボックス７の内部には、内部空間を分割して収納性を高めるべく、隔壁７４を設けてもよい。カーゴフロアボックス７は、例えば、樹脂材料や発泡性樹脂材料によって形成されている。
【００１７】
底部７１には、例えば、サッカーボールやバレーボールのような球体９を着座状態で保持する凹状の座部７５が設けられている。凹状の座部７５は、底部７１を貫通していてもよい。座部７５の外縁７５ａは、前記球体の形状と一致するように平面視で略円形を呈している。また、図４に示すように、座部７５は、球体９の曲面に沿うように、球体面状に凹設されている。
【００１８】
図５に示すように、フロアリッド８によってカーゴフロアボックス７が閉状態にされた場合に、球体９が座部７５とフロアリッド８とによって把持されるように、座部７５の深さは、座部７５の底部上面７５ｂとフロアリッド８の下面８ａとの距離が球体９の直径と一致するように形成されている。例えば、球体９をサッカーボール５号球（直径２２ｃｍ）とした場合、座部７５の底部上面７５ｂとフロアリッド８の下面８ａの距離は２２ｃｍに設定され、更に側壁７２の高さが１９ｃｍである場合には、座部７５の深さは３ｃｍに設定される。なお、座部７５の底部上面７５ｂとフロアリッド８の下面８ａとの距離を、球体９の直径よりも若干小さく設定してもよい。この場合には、球体９は座部７５およびフロアリッド８によって押圧され、強く把持されるようになる。
【００１９】
以上のようにカーゴフロアボックス構造を構成することで、カーゴフロアボックス７内に球体を安定的に収納することができるようになる。球体９を座部７５に嵌め込むことによって、球体９の転がりは防止され、車両の発進、停止といった球体９に慣性力が加わるときにも、球体９はカーゴフロアボックス７内で静止することができるようになる。座部７５の外縁は略円形を呈し、座部７５は球面状に形成されているため、球体９表面との一致性が高まり、球体の位置安定性が向上する。また、球体９は、座部７５とフロアリッド８とによって把持されているため、座部７５から離脱し難く、位置安定性が高い。また、座部７５を形成することによって、底部７１の下面に円形状の突部が形成されるが、カーゴフロアボックス７はスペーサ７４を介してリアフロアパネル４に設置されるため、設置安定性は損なわれない。
【００２０】
実施形態の一部を変形した例として、図６に示すように座部７５の外縁に弾性部材からなるパッド１０を部分的に設けてもよい。パッド１０の形状は、半球状または円錐状の突起や、直方体のブロックであってよく、弾性部材はゴム状材やスポンジ状部材であってよい。このようにすることで、球体１１が設計目的とした球体９よりも若干小さい場合にも、パッド１０が座部７５と球体１１との間隙を充塞して球体１１と座部７５との一致性を高め球体１１を安定的に保持できるようになる。
【００２１】
以上で具体的実施形態の説明を終えるが、本発明は上記実施形態に限定されることなく幅広く変形実施することができる。例えば、実施形態では保持する球体をサッカーボール程度の大きさの球体として説明したが、カーゴフロアボックス７の側壁７２、スペーサ７３、座部７５の大きさを調整することで、例えば、ラグビーボールやソフトボール等のその他の球技用ボールや、他の球体を収納することができる。また、カーゴフロアボックスの形状、座部の個数および配置位置は例示的なものであり本発明の趣旨を逸脱しない範囲で適宜変更可能である。
【符号の説明】
【００２２】
２      ラゲッジルーム
４      リアフロアパネル
７      カーゴフロアボックス
８      フロアリッド
９・１１      球体
１０    パッド
１１    球体
４１    収納凹部
４２    段部
７３    スペーサ
７４    隔壁
７５    座部
【図１】
0005393711.tif 000002
【図２】
0005393711.tif 000003
【図３】
0005393711.tif 000004
【図４】
0005393711.tif 000005
【図５】
0005393711.tif 000006
【図６】
0005393711.tif 000007